(57)【特許請求の範囲】
【請求項１】
封止剤に拘束フィルムを積層して構成したテープを、前記封止剤側が内側となるようにしてねじ先に巻いて、ねじ止めすることにより、前記拘束フィルムを変形させて前記封止剤を前記ねじ先側に押圧し、前記封止剤をねじ頭部側へ移動させないように拘束して前記ねじ先の周りを防水することを特徴とする防水方法。
【請求項２】
前記封止剤は、未加硫のブチルゴムであることを特徴とする請求項１に記載の防水方法。
【請求項３】
前記ねじ先は第１の壁面を通って、その先の第２の壁面に固定されることを特徴とする請求項１又は２に記載の防水方法。
【請求項４】
第１の壁面は断面が波状の屋根面であり、第２の壁面は平面状の屋根の下地であり、第１の壁面である屋根面の頂部の上方に、太陽電池のパネルを取り付けるための足場となる金属板を置き、前記屋根面の頂部と前記金属板との間に、平板状の弾性部材を配置し、前記ねじ先を前記金属板、前記弾性部材及び前記屋根面を通過させて、前記屋根の下地に固定することを特徴とする請求項１乃至３の何れか１項に記載の防水方法。
【請求項５】
前記弾性部材は、加硫したゴム板の中央部に貫通孔を設けて、前記貫通孔内に未加硫のブチルゴムを設けて構成したことを特徴とする請求項４に記載の防水方法。
【発明の詳細な説明】
【技術分野】
【０００１】
本発明は、防水ねじを使用した防水方法に関する。
【背景技術】
【０００２】
屋根等に太陽光パネル等を設置するための施工の際に、ねじ先が屋根面に空けた孔の防水方法として以下の（１）〜（３）の方法があった。しかし、太陽光パネル等の設備は重い上に風圧を受けるという要因や、ねじ止めされる屋根面は通常厚さ１２ｍｍ程度のベニア板により構成されているという要因によって、（１）〜（３）のそれぞれに以下のような問題があった。
（１）ねじ先にコーキング剤を塗布して屋根面にねじ止めすると、コーキング剤が硬化した後にねじが動いてコーキング剤が切れたり、ねじ溝から剥がれて漏水するという問題があった。
（２）屋根面のねじ先がねじ込まれる位置の周囲にコーキング剤を山盛りに塗布してねじ止めしても上記（１）と同様の問題があった。
（３）屋根面のねじ先がねじ込まれる位置の周囲に、厚さ数ミリ程度の粘着性を有するブチルゴムテープを貼着してねじ止めすると、ねじ止め時にテープが持ち上がってしまい、ねじ孔にブチルゴムがうまく入らないという問題があった。
このため、図１に示す止水部材１を使用を検討した。この止水部材１は、弾性部材２の中央部に貫通孔３を設け、貫通孔３内に粘弾性を有する封止剤４を充填して構成したものである。
しかしながら、止水部材１の貫通孔３にねじ５を挿通させると、図２のように、ブチルゴム４は頭部５ｈ側へ移動してしまうことがわかった。
【発明の概要】
【発明が解決しようとする課題】
【０００３】
そこで、本願発明は、ねじ先の防水を簡易で確実に行うことが可能な防水ねじを使用した防水方法を提供することを目的とする。
【課題を解決するための手段】
【０００４】
本発明の防水方法は、第１の解決手段として、封止剤に拘束フィルムを積層して構成したテープを、前記封止剤側が内側となるようにしてねじ先に巻いて、ねじ止めすることにより、前記拘束フィルムを変形させて前記封止剤を前記ねじ先側に押圧し、前記封止剤をねじ頭部側へ移動させないように拘束して前記ねじ先の周りを防水することを特徴とする。
第２の解決手段は、第１の解決手段において、前記封止剤は、未加硫のブチルゴムであることを特徴とする。
第３の解決手段は、第１又は第２の解決手段において、前前記ねじ先は第１の壁面を通って、その先の第２の壁面に固定されることを特徴とする。
第４の解決手段は、第１乃至第３の解決手段の何れかにおいて、第１の壁面は断面が波状の屋根面であり、第２の壁面は平面状の屋根の下地であり、第１の壁面である屋根面の頂部の上方に、太陽電池のパネルを取り付けるための足場となる金属板を置き、前記屋根面の頂部と前記金属板との間に、平板状の弾性部材を配置し、前記ねじ先を前記金属板、前記弾性部材及び前記屋根面を通過させて、前記屋根の下地に固定することを特徴とする。
第５の解決手段は、第４の解決手段において、前記弾性部材は、加硫したゴム板の中央部に貫通孔を設けて、前記貫通孔内に未加硫のブチルゴムを設けて構成したことを特徴とする。
【発明の効果】
【０００５】
本発明によれば、ねじ孔に拘束フィルムによって拘束された封止剤が侵入し、ねじ頭部側への封止剤が移動することを抑えることができ、ねじ周りの止水を簡単に確実に行うことができる。また、封止剤の使用量を少なくすることができる。
【図面の簡単な説明】
【０００６】
【図１】従来の止水部材の平面図
【図２】従来の止水部材にねじを挿通した後の説明図
【図３】本発明の防水方法に用いる防水ねじの説明図
【図４】同防水ねじのねじ先に巻かれるテープの説明図
【図５】同防水ねじのねじ止めの説明写真
【図６】本発明の一実施の形態の防水方法の説明図
【図７】本発明の他の実施の形態である太陽光パネルの屋根面への設置の際の防水方法の説明図
【発明を実施するための形態】
【０００７】
本発明の防止方法に用いる防水ねじは、ねじ先に封止剤を設けて封止剤の周囲に拘束フィルムを設けた構造をしたものである。
図３の防水ねじ６は、ねじ先６ｆに封止剤側が内側になるように図４で示すテープ７を巻き付けて構成したものである。テープ７は、拘束フィルム８上に粘弾性を有する封止剤９を積層して構成したものである。
上記のようにして構成された防水ねじ６は、図５（ａ）に示すようにねじ止めされる。図５（ａ）に示す通り、封止剤９は図５（ｂ）のようにねじ頭６ｆ側に巻き上がることはない。理由は、図５（ｃ）に示すように、ねじ先６ｆが下地に接した際に、拘束フィルム８が円錐状に変形して封止剤９をねじ先６ｆ側へ押圧して、ねじ先６ｆ側に封止剤９が接触する面積を増加させる一方で、封止剤９を頭部６ｈ側へ移動させないように拘束する。更に、ねじ込むと、ねじ６の回転でねじ先６ｆ付近の封止剤９に延伸がかかり封止剤９が高温になって軟化するので、ねじ６がねじ孔へ入る時に一緒に大量の封止剤９が孔に流入するためである。その結果として、ねじ先６ｆ周りが封止されることになる。
このため、施工時に人がねじ先６ｆの封止剤９を手で抑える等する必要がなくても確実にねじ先６ｆ周りの防水施工が可能となる。また、封止剤９がねじ頭部６ｈ側に移動することがないので、封止剤９の使用量を少なくすることができる。
【０００８】
本発明の防水方法は、上述の防水ねじを使用するものであるが、防水ねじ６のねじ先６ｆ側を施工者が直接外部から触れることができない場合に特に有効である。
即ち、図６に示すように、第１の壁面１０及び第２の壁面１１を所定の間隔で設けた構造において、第１の壁面１０側に防水ねじのねじ先６ｆ（テープ７が設けられている。）が通過できる程度の孔１０ｂを設けておいて、防水ねじ６を第１の壁面１０を通して第２の壁面１１にねじ止めする場合に有効である。尚、この場合に、第１の壁面１０の孔１０ｂに蓋をするように防水ねじ６の頭部６ｈを第１の壁面１０に当接させるように施工すればより望ましい。
【０００９】
図７で示す屋根も、同様に防水が必要となる。屋根の下地１２上に波状の屋根面１３（瓦等）配置されており、屋根面１３と下地１２との間には空間があるからである。図示される構造の場合には、瓦等の屋根面１３の上側から防水ねじ６を挿入して下地１２にねじ止めすることになる。
尚、図７では、下地１２上に瓦１３が置いてあり、この瓦１３の波形の頂部を覆うことができるようにして構成された、太陽光電池パネルの足場となる取付治具１４が配置されている。この取付金具１４は、瓦１３の頂部１３ｔの上方に、頂部１３ｔと対向するようにして位置する平板部１４ｔ（金属板）と、平板部１４ｔから両側下方に延出する側辺部１４ｓ、１４ｓと、側辺部の下端から互いに離れる方向に延出する脚部１４ｆ、１４ｆとから構成される。尚、瓦の頂部１３ｔ及び平板部１４ｔには、防水ねじ６を挿通するための貫通孔が設けられている。
そして、瓦１３の頂部１３ｔと、取付治具１４の平板部１４ｔとの間に、図１で説明した止水部材１を介挿した。この止水部材１は、弾性を有する平板２の中央部に貫通孔３を設けて、貫通孔３内に封止剤４を設けたものである。
以上の構造において、防水ねじ６を取付治具１４の平板部１４ｔに設けられた貫通孔、止水部材１の貫通孔３及び瓦１３の頂部１３ｔに設けられた貫通孔に防水ねじ６を通して、ねじ先６ｆを下地１２にねじ止めすると、瓦１３及び取付治具１４に設けられた貫通孔内には、止水部材１の封止剤４が浸入して防水することができる。また、防水ねじ６のねじ先６ｆと下地１２とは、ねじ先６ｆに設けられた拘束フィルム８及び封止剤９により防水できることになる。
【００１０】
本発明における封止剤４，９は、ねじ周りを防水できる程度の粘度や弾性等の物性を有しているものであれば特に制限はないが、例えば合成ゴムを使用する場合には、未加硫のものを使用し、具体的には、針入度４０〜７０の範囲のブチルゴム等を使用する。尚、合成ゴムは、市販されているものでよく、例えば、ブチルゴムであれば、ＩＩＲ、カーボン、老化防止剤、ポリブテン等を使用することができる。
拘束フィルム８は、封止剤９の巻き上がりを防止できるような機能を有するものであれば特に制限するものではないが、破断強度２０〜５０Ｎ／ｍｍ２程度のものが望ましく、材料としてはキャスティングポリプロピレン、ポリエチレン、オリエンテッドポリプロピレン、ポリエチレンテレフタレート等の樹脂、アルミニウム箔等の金属箔、紙やゴムシート等を使用することができる。
【００１１】
止水部材１を構成する弾性部材２についても、弾性を備えたものであればその材料について特に制限するものではなく、例えば、ＥＰＤＭ及びＩＩＲの合成ゴム材料に、カーボン、加硫剤、プロセスオイル等を添加して得ることができる。尚、主剤となるゴムがＥＰＤＭの場合には、ＩＩＲを添加することが好ましい。成形後の外観が良好となり、軟化剤のブリード（吐出）の少ない長期に亘って弾性を確保することができるからである。
【符号の説明】
【００１２】
１    止水部材
２    弾性部材
３    貫通孔
４    封止剤
５    ねじ
６    防水ねじ
７    テープ
８    拘束フィルム
９    封止剤
１０    第１の壁面
１１    第２の壁面
１２    屋根の下地
１３    屋根面（瓦）
１４    取付治具
【図１】
0006017156.tif 000002
【図２】
0006017156.tif 000003
【図３】
0006017156.tif 000004
【図４】
0006017156.tif 000005
【図６】
0006017156.tif 000006
【図７】
0006017156.tif 000007
【図５】
0006017156.tif 000008